(57)【特許請求の範囲】
【請求項１】
所定のトラック単位で１以上の音声情報を格納する音声情報エリアと、１以上の静止画像情報を格納する静止画情報エリアと、前記音声情報のトラックに関する管理情報を格納する管理情報エリアとを有することができるように構成された情報記憶媒体において、
前記管理情報エリアは、ユーザが任意に指定可能な再生手順に関する管理情報としてプレイリストを含み、このプレイリストに関する管理情報が、前記音声情報の内容を代表する代表画像の保存場所を指定するサーチポインタ番号を含むように構成され、
前記管理情報エリアは、前記音声情報の再生順序を管理するプログラムチェーン情報と、１以上のアイテムテキストを含むテキストデータマネージャをさらに含み、前記プログラムチェーン情報は再生単位としてのセルに関するセル情報を含み、このセル情報がエントリポイント情報を含み、このエントリポイント情報が、前記アイテムテキストを指し示すポインタ情報を含むように構成された情報記憶媒体。
【請求項２】
所定のトラック単位で１以上の音声情報を格納する音声情報エリアと、１以上の静止画像情報を格納する静止画情報エリアと、前記音声情報のトラックに関する管理情報を格納する管理情報エリアとを有することができるように構成された情報記憶媒体であって、前記管理情報エリアはユーザが任意に指定可能な再生手順に関する管理情報としてプレイリストを含み、このプレイリストに関する管理情報が前記音声情報の内容を代表する代表画像の保存場所を指定するサーチポインタ番号を含むように構成され、前記管理情報エリアは前記音声情報の再生順序を管理するプログラムチェーン情報と１以上のアイテムテキストを含むテキストデータマネージャをさらに含み、前記プログラムチェーン情報は再生単位としてのセルに関するセル情報を含み、このセル情報がエントリポイント情報を含み、このエントリポイント情報が前記アイテムテキストを指し示すポインタ情報を含むように構成された情報記憶媒体を用いる方法において、
前記音声情報エリアに対して前記音声情報の記録を行い、
前記管理情報エリアに対して、前記プレイリストに関する管理情報の記録を行うように構成された記録方法。
【請求項３】
所定のトラック単位で１以上の音声情報が格納された音声情報エリアと、１以上の静止画像情報が格納された静止画情報エリアと、前記音声情報のトラックに関する管理情報が格納された管理情報エリアとを有する情報記憶媒体であって、前記管理情報エリアはユーザが任意に指定可能な再生手順に関する管理情報としてプレイリストを含み、このプレイリストに関する管理情報が前記音声情報の内容を代表する代表画像の保存場所を指定するサーチポインタ番号を含み、前記管理情報エリアは前記音声情報の再生順序を管理するプログラムチェーン情報と１以上のアイテムテキストを含むテキストデータマネージャをさらに含み、前記プログラムチェーン情報は再生単位としてのセルに関するセル情報を含み、このセル情報がエントリポイント情報を含み、このエントリポイント情報が前記アイテムテキストを指し示すポインタ情報を含む情報記憶媒体を用いる方法において、
前記管理情報エリアから前記プレイリストに関する管理情報を再生し、
前記静止画情報エリアから前記代表画像の静止画像情報を再生するように構成された再生方法。
【請求項４】
所定のトラック単位で１以上の音声情報を格納する音声情報エリアと、１以上の静止画像情報を格納する静止画情報エリアと、前記音声情報のトラックに関する管理情報を格納する管理情報エリアとを有することができるように構成された情報記憶媒体であって、前記管理情報エリアはユーザが任意に指定可能な再生手順に関する管理情報としてプレイリストを含み、このプレイリストに関する管理情報が前記音声情報の内容を代表する代表画像の保存場所を指定するサーチポインタ番号を含むように構成され、前記管理情報エリアは前記音声情報の再生順序を管理するプログラムチェーン情報と１以上のアイテムテキストを含むテキストデータマネージャをさらに含み、前記プログラムチェーン情報は再生単位としてのセルに関するセル情報を含み、このセル情報がエントリポイント情報を含み、このエントリポイント情報が前記アイテムテキストを指し示すポインタ情報を含むように構成された情報記憶媒体を用いる装置において、
前記音声情報エリアに対して前記音声情報の記録を行う構成と、
前記管理情報エリアに対して、前記プレイリストに関する管理情報の記録を行う構成とを具備した記録装置。
【請求項５】
所定のトラック単位で１以上の音声情報が格納された音声情報エリアと、１以上の静止画像情報が格納された静止画情報エリアと、前記音声情報のトラックに関する管理情報が格納された管理情報エリアとを有する情報記憶媒体であって、前記管理情報エリアはユーザが任意に指定可能な再生手順に関する管理情報としてプレイリストを含み、このプレイリストに関する管理情報が前記音声情報の内容を代表する代表画像の保存場所を指定するサーチポインタ番号を含み、前記管理情報エリアは前記音声情報の再生順序を管理するプログラムチェーン情報と１以上のアイテムテキストを含むテキストデータマネージャをさらに含み、前記プログラムチェーン情報は再生単位としてのセルに関するセル情報を含み、このセル情報がエントリポイント情報を含み、このエントリポイント情報が前記アイテムテキストを指し示すポインタ情報を含む情報記憶媒体を用いる装置において、
前記管理情報エリアから前記プレイリストに関する管理情報を再生する構成と、
前記静止画情報エリアから前記代表画像の静止画像情報を再生する構成とを具備した再生装置。
【発明の詳細な説明】
【０００１】
【発明の属する技術分野】
本発明は、オーディオ情報の記録方法、再生方法、編集方法、さらにはその情報記憶媒体に関する。
【０００２】
そして特に特徴的なところは、音声関連情報に関する録音（ないし記録）・再生が可能な情報記憶媒体に対する音声関連情報の記録方法、再生方法、編集方法および情報記憶媒体上に記録するデータ構造に関する。
【０００３】
また、本発明は情報記憶媒体に記録された情報を順次再生するための再生手順情報とユーザが指定可能な別の再生手順情報の両方が管理情報として記録された情報記憶媒体に対して上記の管理情報内容を表示するための表示方法やその表示結果を用いた編集方法に関する技術分野にも関係している。
【０００４】
【従来の技術】
ＤＶＤフォーラムから１９９９年９月に情報記憶媒体に対して映像情報の録画・再生可能な規格として「Ｐａｒｔ３ＶＩＤＥＯ  ＲＥＣＯＲＤＩＮＧ  ＤＶＤ  Ｓｐｅｃｉｆｉｃａｔｉｏｎｓ  ｆｏｒ  Ｒｅｗｒｉｔａｂｌｅ  ／  Ｒｅ−ｒｅｃｏｒｄａｂｌｅ  Ｄｉｓｃｓ  」が発行された。
【０００５】
映像情報では“録画単位”あるいは“番組単位に対応するタイトル”と言う大きな映像内容を分割する単位が存在し、上記規格において“録画単位”に対してはビデオオブジェクト（Ｖｉｄｅｏ  Ｏｂｊｅｃｔ）と言う管理単位が、また“番組単位やタイトル”に対してはプログラム（Ｐｒｏｇｒａｍ）と言う管理単位が存在している。
【０００６】
【発明が解決しようとする課題】
上記のビデオレコーディング（Ｖｉｄｅｏ  Ｒｅｃｏｒｄｉｎｇ）規格との間の高い互換性を目指した音声情報の録音・再生可能な規格がオーディオレコーディング（Ａｕｄｉｏ  Ｒｅｃｏｒｄｉｎｇ）規格として現在ＤＶＤフォーラムで検討されている。
【０００７】
ところで音声情報においては“曲”に対応した“トラック”と言う非常に小さな単位で録音・再生が行われている。この“トラック”に対応した管理単位を音声情報に対する管理情報内に持たせると、上述したＶｉｄｅｏ  Ｒｅｃｏｒｄｉｎｇ規格の階層構造に対して新たに“トラック”に対応した１階層を設ける必要が生じ、上述したＶｉｄｅｏ  Ｒｅｃｏｒｄｉｎｇ規格との間の高い互換性が損なわれると言う問題が生じる。
【０００８】
上記問題点に対し、本発明の目的は  Ｖｉｄｅｏ  Ｒｅｃｏｒｄｉｎｇ  規格との間の高い互換性を確保しつつ  Ａｕｄｉｏ  Ｒｅｃｏｒｄｉｎｇ  特有のトラック毎の管理を容易に行えるデータ構造の提案と、それに関連した情報記憶媒体上に記録する音声関連情報の最適な記録方法、再生方法、編集方法提供するところにある。
【０００９】
また、本発明では上記目的に限らず、「トラック単位で管理するために最適な音声情報単体での編集方法」、「トラック単位で管理するために最適な音声情報と静止画像情報とを組み合わせた編集方法」、および「上記の編集を非常に容易に行うための表示方法」を提供するところにも本発明の目的がある。
【００１０】
【課題を解決するための手段】
この発明の実施の形態においては、情報記憶媒体の管理情報エリアが、ユーザが任意に指定可能な再生手順に関する管理情報としてプレイリストを含む。このプレイリストに関する管理情報が、前記音声情報の内容を代表する代表画像の保存場所を指定するサーチポインタ番号を含むように構成される。ここで、前記管理情報エリアは、前記音声情報の再生順序を管理するプログラムチェーン情報と、１以上のアイテムテキストを含むテキストデータマネージャをさらに含み、前記プログラムチェーン情報は再生単位としてのセルに関するセル情報を含み、このセル情報がエントリポイント情報を含み、このエントリポイント情報が、前記アイテムテキストを指し示すポインタ情報を含むように構成される。
なお、本発明では、
１.音声情報に関する管理情報内の再生手順を示すＰＧＣ（Program Chain）情報にオーディオトラックの切れ目情報を持たせることができる。
【００１１】
つまり、ＰＧＣＩ内にオーディオトラックの切れ目情報を記録することである。
【００１２】
２．オリジナルトラックに関する管理情報であるオリジナルプログラムチェーン情報内のプログラムをオリジナルトラックに対応させることもできる。
【００１３】
３．プレイリストに関する管理情報であるユーザ定義ＰＧＣ情報テーブル内のセル情報に対して、オーディオトラックの切れ目情報を示すトラックヘッドエントリーポイントの情報を記録し、各種オーディオトラック固有の情報をこのトラックヘッドエントリーポイント内に持たせることもできる。
【００１４】
４．オーディオトラック再生時に同時に表示するための静止画像をユーザが指定すると、オーディオトラックの再生時間と設定した静止画像の枚数から音声情報再生時の各静止画像の表示タイミングを自動算出し、その表示タイミング情報を管理情報内に自動的に記録することもできる。
【００１５】
５．オリジナルリストとプレイリストを同時に画面上に表示することもできる（Ａｕｄｉｏ  Ｒｅｃｏｒｄｉｎｇに限らずＶｉｄｅｏ  Ｒｅｃｏｒｄｉｎｇにも適応可能）。
【００１６】
６．本発明では、オリジナルリスト内のオリジナルトラックの一部を集めてプレイリスト上に新たなトラックを作ることができる。あるいはオリジナルトラック内部を部分消去することもできる。このような場合、オリジナルトラックのディスプレイモードの情報内容に応じて、以下の（Ａ），（Ｂ）を選択することができる。そして、再生時には、
（Ａ）オリジナルトラック再生時に表示する全静止画像をプレイリスト上の新たなトラック再生時に表示する静止画像に利用する、あるいは部分消去前に表示していた全静止画像を部分消去後にも全て表示する。
【００１７】
（Ｂ）オリジナルトラック再生時に表示する静止画像の内、特定範囲内にある静止画像のみをプレイリスト上の新たなトラック再生時に表示する静止画像に利用する、あるいは部分消去範囲内に表示していた静止画像は部分消去後には表示しない。
【００１８】
のどちらにするかを判別できるようにし、プレイリスト上の新たなトラックに対する静止画像として設定する。
【００１９】
７．ムービーオブジェクトの任意画面を静止画像として抽出し、オーディオオブジェクトと同時表示可能な静止画像
としてスチルピクチャーＡＶファイル情報テーブル内に登録することもできる。
【００２０】
８．またこの発明では、トラック単位に指定し、そのトラック内容を示す代表画像の指定情報を前記管理情報内に持つと共に、上記の代表画像の指定情報はオーディオトラック再生時に表示する静止画像の指定情報とは別に設けられている。
【００２１】
９．オーディオトラック毎の固有情報を記録する領域内に、そのオーディオトラックの内容を示す代表音声の表示範囲情報を設ける。
【００２２】
【発明の実施の形態】
以下、図面を参照して本発明の実施の形態を説明する。
【００２３】
図１は、この発明の一実施の形態である。書き換え可能なディスク形状の情報記憶媒体には、リードインエリア１１０、ボリウム／ファイル構成情報１１１のエリア、データエリア１１２、リードアウトエリア１１３が確保されている。また情報記憶媒体１００内のユーザが情報を記録できる領域であるデータエリア１１２内には一般コンピュータ情報記録領域１２０と、オーディオ・ビデオ関連情報記録領域１２１が混在して存在できるフォーマットになっている。オーディオ・ビデオのコンテンツ情報はオブジェクト（Ｏｂｊｅｃｔ）と呼ばれ、映像コンテンツ情報はＶＲ＿ムービーオブジェクト記録領域１３１内に記録され、音声コンテンツ情報はＡＲ＿オーディオオブジェクト記録領域１３３内に記録されている。
【００２４】
本発明実施例においては音声情報再生と同時に静止画像（スチルピクチャー）を表示できるばかりでなく、歌詞カードのように音声情報と同期して変化するリアルタイムテキスト情報（Ｒｅａｌ−Ｔｉｍｅ  Ｔｅｘｔ）も同時に表示が可能になっている。
【００２５】
本発明において上記静止画像はＡＲ＿スチルピクチャーオブジェクト記録領域１３２内に記録され、上記リアルタイムテキスト情報、ＡＲ＿リアルタイムテキストオブジェクト（ＡＲ＿ＲｔＴｅｘｔ  Ｏｂｊｅｃｔ）記録領域１３４内に記録されている。
【００２６】
本発明実施例では上記音声情報、静止画像情報（スチルピクチャー）、リアルタイムテキスト情報（Ｒｅａｌ−Ｔｉｍｅ  Ｔｅｘｔ）を総称して“音声関連情報”と呼んでいる。これらのオブジェクト情報（コンテンツ情報）の内容、属性情報、表示のための制御情報などは図１（ｄ）に示す管理情報記録領域１３０内にまとめて記録されている。
【００２７】
管理情報記録領域１３０には、リアルタイムオーディオ管理情報（ＲＴＲ＿ＡＭＧＩ；オーディオの一般情報であり、属性など），ムービーＡＶファイル情報テーブル（Ｍ＿ＡＶＦＩＴ；動画の記録位置などの情報）、スチルピクチャーＡＶファイル情報テーブル（Ｓ＿ＡＶＦＩＴ；静止画の記録位置などの情報）、オーディオＡＶファイル情報テーブル（Ａ＿ＡＶＦＩＴ；オーディオの記録位置などの情報），オリジナルＰＧＣ情報（ＯＲ＿ＰＧＣＩ），ユーザ定義ＰＧＣ情報（ＵＤ＿ＰＧＣＩ），テキストデータマネージャー（ＴＸＴＤ＿ＭＧ）、製造情報テーブル（ＭＮＦＩＴ）が含まれる。
【００２８】
先の各オブジェクト情報（コンテンツ情報）はオブジェクト内容毎に１個ずつの独立ファイル内に記録されている。
【００２９】
すなわち、図２に示すように全音声情報はＡＲ＿ＡＵＤＩＯ．ＡＲＯ  ２２１ファイルにまとめて記録されており、全静止画像情報（スチルピクチャー）はＡＲ＿ＳＴＩＬＬ．ＡＲＯ  ２１３ファイル、全リアルタイムテキスト情報（Ｒｅａｌ−Ｔｉｍｅ  Ｔｅｘｔ）はＡＲ＿ＲＴ＿ＴＥＸＴ．ＡＲＯ  ２２２ファイル内にまとめて記録されている。
【００３０】
本発明実施形態ではビデオレコーディング（Ｖｉｄｅｏ  Ｒｅｃｏｒｄｉｎｇ）規格上で定義された映像情報ファイル内の映像の１場面を静止画像として抽出し、音声情報と同時に表示する。その時に使用する映像情報ファイル  ＶＲ＿ＭＯＶＩＥ．ＶＲＯ  ２１２も同じ  ＤＶＤ＿ＲＴＡＶ  ディレクトリー２１０内に記録されている。これらのオブジェクトファイルを統合的に管理する管理情報記録領域１３０内の情報は  ＡＲ＿ＭＡＮＧＲ．ＩＦＯ  ２１１ファイルとそのバックアップファイルである  ＡＲ＿ＭＡＮＧＲ．ＢＵＰ  ２１５に記録されている。
【００３１】
音声関連情報に関する録音（ないし記録）・再生が可能な情報記憶媒体に記録する管理情報のデータ構造の骨格部は図１（ｅ）に示すように互換性を重視してＤＶＤフォーラムで制定したＶｉｄｅｏ  Ｒｅｃｏｒｄｉｎｇ規格と同じ構造をしている。
【００３２】
ＤＶＤフォーラムが１９９９年９月に制定した「Ｐａｒｔ  ３  ＶＩＤＥＯ  ＲＥＣＯＲＤＩＮＧ  ＤＶＤ  Ｓｐｅｃｉｆｉｃａｔｉｏｎｓ  ｆｏｒ  Ｒｅｗｒｉｔａｂｌｅ／  Ｒｅ−ｒｅｃｏｒｄａｂｌｅ  Ｄｉｓｃｓ  」の規格と同様、音声関連情報の再生手順を示す情報は、ＰＧＣ（Ｐｒｏｇｒａｍ  Ｃｈａｉｎ）情報１４４（オリジナルプログラムチェーン）、１４５（ユーザ定義プログラムチェーン）内に記録されている。
【００３３】
すなわち再生するための音声関連情報内の連続再生する最小基本単位をセル（Ｃｅｌｌ）と呼び、そのセルのつながりを示す再生手順であるＰＧＣ（Ｐｒｏｇｒａｍ  Ｃｈａｉｎ）が構成される。セルに関する管理情報は管理情報記録領域１３０内に記録されている第１セル情報＃１  １６４〜第６セル情報＃６  １６９内（図１（ｇ）、図８（ｄ））に全て記録されている。図１（ｉ）には、編集によりオーディオトラック１，２，３が存在することを示し、図１（ｈ）には、各オーディオトラックの先頭を指定するトラックヘッドエントリーポイント（ＴＨＥＰ）１７１、１７２，１７３が記録されていることを示している。これらのトラックヘッドエントリーポイント（ＴＨＥＰ）１７１、１７２，１７３は、各トラックのオブジェクトを再生するためのセル情報を指定している。
【００３４】
図８（ｄ）に示すように、音声情報が記録されている  ＡＲ＿ＡＵＤＩＯ．ＡＲＯ  ２２１ファイル内のどの範囲を、１個のセルで再生するかを示す情報が上記セル情報＃１１６４〜＃６  １６９内に記録されている。１個のＰＧＣ情報に従って再生する音声関連情報の再生手順は図１（ｇ）に示すようにそのＰＧＣ情報１５６を構成するセル情報＃１  １６４〜＃６  １６９の配置順に再生・表示する。
【００３５】
例えば図８（ｄ）に示すようにセル情報＃１  １６４が“Ａｕｔｏｍａｔｉｃ”と言うトラック名（曲名）の音声情報の一部を指定し、セル情報＃２  １６５と＃３  １６６が“Ａｎｏｔｈｅｒ  Ｃｈａｎｃｅ”と言うトラック名（曲名）の音声情報を指定し、セル情報＃４  １６７が“Ｉｎ  Ｍｙ  Ｒｏｏｍ”と言うトラック名（曲名）の音声情報を指定した場合には、セル情報＃１  １６４〜＃６  １６９の配置順に従い、“Ａｕｔｏｍａｔｉｃ”の一部を再生・表示した後、“Ａｎｏｔｈｅｒ  Ｃｈａｎｃｅ”を再生・表示し、次に“Ｉｎ  Ｍｙ  Ｒｏｏｍ”を再生・表示することになる。
【００３６】
音声関連情報に関する再生手順情報は
１．情報記憶媒体１００上に記録した順に再生する再生手順と
２．ユーザが任意に指定可能な再生手順と
の２通りが存在し、
１．情報記憶媒体１００上に記録した順に再生する再生手順に関する管理情報としての呼び名を“オリジナルＰＧＣ”と呼び、ユーザに対する呼び名を図６に示すように“オリジナルトラック１”と名付ける。また
２．ユーザが任意に指定可能な再生手順に関する管理情報としての呼び名を“ユーザ定義ＰＧＣ”と呼び、ユーザに対する呼び名を図６に示すように“プレイリスト”と名付ける。
【００３７】
オリジナルＰＧＣは、情報記憶媒体１００内で唯一存在し、ユーザ定義ＰＧＣは複数個設定できる。それぞれのユーザ定義ＰＧＣに関する管理情報は第１ユーザ定義ＰＧＣ情報＃１  １５６〜第ｍユーザ定義ＰＧＣ情報＃ｍ  １５７内（図１（ｆ））に記録されている。またそれらの情報はユーザ定義ＰＧＣ情報テーブル１４５内で一元管理されている。すなわち、ユーザ定義ＰＧＣ情報テーブル情報（ＵＤ＿ＰＧＣＩＴＩ）１５０には、ここのテーブルにどうのようなテーブルが記録されているかを示している。ＰＧＣ情報をサーチするための、ユーザ定義ＰＧＣ情報（ＵＤ＿ＰＧＣＩ）サーチポインタ１５１、１５２が記録されている。
【００３８】
ところで、ＣＤ（Ｃｏｍｐａｃｔ  Ｄｉｓｋ）やＭＤ（Ｍａｇｎｅｔｏ−Ｏｐｔｉｃａｌ  Ｄｉｓｋ）、カセットテープではポピュラー音楽の曲毎あるいはクラシック音楽の楽章毎に設定されるトラックという管理単位を有している。上記プレイリスト（ユーザ定義ＰＧＣ）作成時にユーザは例えば“Ａ”と言う名のオリジナルトラックの一部と“Ｂ”と言う名のオリジナルトラックの一部を組み合わせて“Ｃ”と言う名の新しいトラックを作成する場合がある。
【００３９】
図８（ｅ）に示すように本発明実施例では１個のセルは音声情報ファイルであるＡＲ＿ＡＵＤＩＯ．ＡＲＯ  ２２１内の連続再生範囲のみを指定できる（ＡＲ＿ＡＵＤＩＯ．ＡＲＯ  ２２１内の飛び石的（離散的）に存在する再生範囲をまたがって指定できない）ので、この場合には、本発明では“Ａ”と言う名のオリジナルトラックの一部を１個の（ユーザ定義）セル＃１（第１セル）  、“Ｂ”と言う名のオリジナルトラックの一部を別の１個の（ユーザ定義）セル＃２（第２セル）  と指定し、“Ｃ”と言う名の新しいトラックをこのセル＃１  とセル＃２  の組み合わせとして定義・管理するところに特徴がある。
【００４０】
従って本発明実施例では１個以上のセルの組み合わせで１個のトラックを構成するデータ構造になっている。ＤＶＤフォーラムで制定したＶｉｄｅｏ  Ｒｅｃｏｒｄｉｎｇ規格との間の互換性を確保するために上記のデータ構造を保持しつつ音声情報特有のトラックの区切りを規定する方法として本発明実施例では「再生手順を示す情報であるＰＧＣ情報内に上記音声情報に対するトラックの切れ目位置を示す情報を記録する」ところに本発明の第１の大きな特徴がある。
【００４１】
それを実現する方法として図１に示した実施例では各トラック毎の再生開始位置に存在するセルの管理情報であるセル情報＃１  １６４、＃４  １６７、＃５１６８の中に第１（＃１）、第２（＃２）、第３（＃３）のトラックヘッドエントリーポイント１７１、１７２、１７３と言う情報記録領域を設定し、その中に、図９に示すトラック固有の情報を記録している。
【００４２】
図９に示すように、エントリーポイントの種類としては、トラックヘッドエントリーポイント（図１、図１１）、またはプログラム情報（図７）がある。このエントリーポイントのエントリーポイント情報の内容としては、エントリーポイントタイプ情報（トラックヘッドエントリーポイントかスチルピクチャーエントリーポイントかの識別情報）、該当するオーディオトラックの内容を示す代表音声の表示範囲を指定する情報（該当するオーディオトラック内の再生開始時間と再生終了時間で指定されている）、該当するオーディオトラックの内容を代表する代表画像の保存場所を指定する情報［Ｓ＿ＶＯＢサーチポインタ番号（スチルピクチャーＶＯＢグループ番号）とその中のＶＯＢエントリー番号で指定される］がある。
【００４３】
さらに該当するオーディオトラック固有のテキスト情報（プライマリーテキスト情報；曲名、演奏者名、歌手名、作曲者名など）、付加説明用テキスト情報（セントラルテキスト情報；アイテムテキスト）、該当するオーディオトラック内での静止画像の表示モード（ディスプレイオーダーモード、ディスプレイタイミングモード）、該当する静止画像の表示時間範囲情報、表示する静止画像内容のオリジナルトラックとの関係（オリジナルトラックのものと同じ静止画像を表示するか、別の独自の静止画像（ニューリーセット）を表示するか）、消去禁止フラグなどの情報がある。
【００４４】
またスチルピクチャエントリーポイント内には、エントリーポイントタイプ情報（トラックヘッドエントリーポイントかスチルピクチャエントリーポイントかの識別情報）、表示する静止画像の保存場所を指定する情報［Ｓ＿ＶＯＧＩサーチポインタ番号（スチルピクチャーＶＯＢグループ番号）とその中のＶＯＢエントリー番号で指定される］，上記の静止画像を表示するタイミングの指定情報（対応するオーディオオブジェクトの表示時間情報を指定して両者間の表示タイミングを合わせるためのもの）、該当する静止画像の表示時間範囲情報、などがある。なおこれらの情報の他にさらに追加してもよいことはもちろんである。
【００４５】
本発明は、図１の実施形態に限らず、トラックヘッドエントリーポイント１７１〜１７３を使う代わりに、図示してないがトラック先頭に位置するセルのセル情報＃１  １６４、＃４  １６７、＃５  １６８の中に「該当するセルがトラックの先頭位置に配置されて事を示すフラグ情報」（“フラグ＝１”の時には該当セルがトラックの先頭位置に存在し、“フラグ＝０”のときは該当セルがトラックの２番目以降に存在する）の記録領域が設定されてもよい。また、更に各セル情報＃１  １６４、＃４  １６７、＃５  １６８の一般情報記録領域内に、図９に示した内容の情報を記録する方法も本発明実施例に含まれる。
【００４６】
次に音声情報再生時に同時に表示する静止画像情報（スチルピクチャーＯｂｊｅｃｔ）やトラック毎の固有情報を示すテキスト情報に関する管理情報のデータ構造に付いて図３〜図５を用いて説明する。
【００４７】
図２に示したＡＲ＿ＡＵＤＩＯ．ＡＲＯ２２１ファイル内の音声情報に関する管理情報は図３（ｅ）に示すようにオーディオＡＶファイル情報テーブル１４３内に記録されている。なお図３において図１と対応する部分には、同一符号を付している。
【００４８】
図３では、Ａ＿ＡＶＦＩＴ（オーディオＡＶファイル情報テーブル）１４３、つまりオーディオに関する管理情報を階層的に示している。オーディオＡＶファイル情報テーブル１４３は、オーディオＡＶファイル情報テーブル情報１８０、オーディオオブジェクトストリーム情報１８１、１８２と、オーディオＡＶファイル情報１８４と、リアルタイムテキストオブジェクトストリーム情報１８６，１８９などからなる。オーディオＡＶファイル情報１８４は、オーディオＡＶファイルゼネラル情報１９０、オーディオオブジェクトサーチポインタ１９１，１９２、オーディオオブジェクト情報１９６，１９７などからなる。
【００４９】
オーディオオブジェクト情報は、オーディオオブジェクトゼネラル情報２４０、オーディオオブジェクトユニットエントリー２４１，２４８などからなる。そして、オーディオオブジェクトユニットエントリーは、オーディオオブジェクトデータサイズ２５１、オーディオオブジェクトユニットプレゼンテーションタイム２５２、リアルタイムテキスト位置２５３などの情報からなる。
【００５０】
図２のＡＲ＿ＲＴ＿ＴＥＸＴ．ＡＲＯ２２２ファイル内に記録されているリアルタイムテキスト情報（Ｒｅａｌ−Ｔｉｍｅ  Ｔｅｘｔ  Ｏｂｊｅｃｔ）（音声情報と同期して表示内容が変化する情報）に対する管理情報も、オーディオＡＶファイル情報テーブル１４３内のリアルタイムテキストオブジェクトストリーム情報（Ｒｅａｌ−Ｔｉｍｅ  Ｔｅｘｔ  Ｏｂｊｅｃｔ  Ｓｔｒｅａｍ  Ｉｎｆｏｒｍａｔｉｏｎ）＃１  １８６、リアルタイムテキストＡＶファイル情報１８９に記録されている。
【００５１】
ディスク形状の情報記憶媒体１００上に音声情報を録音する場合には、複数トラックをまとめて録音する場合が多い。この場合、まとめて一度に録音する音声情報単位をオーディオオブジェクト（ＡＯＢ）と呼ぶ。個々のＡＯＢ毎にオーディオオブジェクト情報＃１  １９６〜＃ｉ（第ｉ）１９７の管理情報を設ける。音声情報に対して高速再生（Ｆａｓｔ  Ｆｒｏｎｔ）、巻き戻し（Ｆａｓｔ  Ｒｅｖｅｒｓｅ）やタイムサーチなどの特殊再生を可能にするため、音声情報をＡＯＢより更に小さなユニット（オーディオオブジェクトユニット）に分割し、各ユニット（オーディオオブジェクトユニット）毎のデータサイズ（図３（ｉ）のオーディオオブジェクトユニットデータサイズ２５１）と表示所要時間（オーディオオブジェクトユニットプレゼンテーションタイム２５２）の情報を図３（ｈ）に示すオーディオオブジェクトユニットエントリー＃１  ２４１〜＃ｈ  ２４８の記録場所内に記録している。
【００５２】
また、本発明実施例では各ユニット（オーディオオブジェクトユニット）内の先頭位置の音声情報を再生する時に表示するリアルタイムテキスト情報（Ｒｅａｌ−Ｔｉｍｅ  Ｔｅｘｔ  Ｏｂｊｅｃｔ）が記録されているＡＲ＿ＲＴ＿ＴＥＸＴ．ＡＲＯ２２２ファイル内の位置（相対アドレス）情報もリアルタイムテキスト位置情報（Ｒｅａｌ−Ｔｉｍｅ  Ｔｅｘｔ  Ｐｏｓｉｔｉｏｎ  情報）２５３としてオーディオオブジェクトユニットエントリー＃１  ２４１〜＃ｈ  ２４８内に記録されている。図８（ｄ）に示し、前述したように、各セル情報＃１  １６４〜＃６  １６９内には該当するセルが指し示すＡＯＢ（オーディオオブジェクト）とセルの開始時間と終了時間が時間情報として記録されている。
【００５３】
この指定されたセルを再生する場合には、指定されたＡＯＢ内の指定された時間範囲内を再生するが、この時間情報に対してオーディオオブジェクト情報＃１１９６〜＃ｉ１９７内に記録されたオーディオオブジェクトユニットエントリー＃１  ２４１〜＃ｈ２４８（図３（ｈ））の情報を用いてＡＲ＿ＡＵＤＩＯ．ＡＲＯ２２１内の相対アドレスに変換後、希望する音声情報を再生する事になる。
【００５４】
図７（ｅ）では概念説明をするためにＡＯＢ＃１  〜＃５  を記述してあるが、各ＡＯＢに関する管理情報が記録されているオーディオオブジェクト情報＃１１９６〜＃ｉ（第ｉ）１９７（図３（ｇ））内にオーディオオブジェクトエントリー＃１  〜＃５  が記録されている。
【００５５】
図７（ｈ）には、オリジナルプログラムチェーン３２０を示している。このプログラムチェーンに対応する、第１（＃１）プログラム情報，第２（＃２）プログラム情報，第３（＃３）プログラム情報，第４（＃４）プログラム情報が図７（ｇ）であり、このプログラム情報に対応するオリジナルセル情報３０１，３０２，３０３，３０４，３０５が図７（ｆ）である。このオリジナルセル情報は、それぞれ図７（ｅ）のオートマティック、ファーストラブ、インマイルーム、アナザーチャンスという各曲（各オブジェクト）に対応している。
【００５６】
次に、図７（ｄ）は、第１セル情報＃１、１６４が“Ａｕｔｏｍａｔｉｃ”と言うトラック名（曲名）の音声情報の一部を指定し、第２セル情報＃２、１６５と第３セル情報＃３、１６６が“Ａｎｏｔｈｅｒ  Ｃｈａｎｃｅ”と言うトラック名（曲名）の音声情報を指定し、第４セル情報＃４、１６７が“Ｉｎ  Ｍｙ  Ｒｏｏｍ”と言うトラック名（曲名）の音声情報を編集時に指定した場合を示している。この場合セル情報＃１、１６４〜＃６、１６９の配置順に従い再生を行うと、“Ａｕｔｏｍａｔｉｃ”の一部を再生・表示した後、“Ａｎｏｔｈｅｒ  Ｃｈａｎｃｅ”を再生・表示し、次に“Ｉｎ  Ｍｙ  Ｒｏｏｍ”を再生・表示することになる。
【００５７】
ここで、この再生開始は、任意に選択できるものであり、これはトラックヘッドエントリーポイント１７１、１７２、１７３のいずれかをユーザが指定することにより、“Ａｕｔｏｍａｔｉｃ”＋“Ａｎｏｔｈｅｒ  Ｃｈａｎｃｅ”，又は、“Ｉｎ  Ｍｙ  Ｒｏｏｍ”，又はＦｉｒｓｔ  Ｌｏｖｅ“＋“Ａｎｏｔｈｅｒ  Ｃｈａｎｃｅ”のいずれのトラック（編集後の曲）からでもスタートすることができる。編集後のトラックはこの場合は、Ｎｏ．１，Ｎｏ．２，Ｎｏ．３の３つの例を示している。オーディオトラックに関連させてスチルピクチャーも指定しておくことができる。
【００５８】
次に音声情報の再生時に同時に表示する静止画像情報（スチルピクチャーオブジェクト）に対する管理情報は、図４（ｅ）に示すスチルピクチャーＡＶファイル情報テーブル（Ｓ＿ＡＶＦＩＴ）１４２内に記録されている。静止画像情報もディスク形状の情報記憶媒体１００に記録する場合には、一度に複数枚の静止画像情報をまとめて記録する場合が多い。従って一度に記録する静止画像情報をまとめてスチルピクチャーＶＯＢグループと呼び、スチルピクチャーＶＯＢグループに関する管理情報をスチルピクチャーＶＯＢグループ情報＃１  ２７３〜＃ｇ２７９（図４（ｇ））内に記録し、スチルピクチャーＶＯＢグループ単位での管理を行っている。
【００５９】
また、スチルピクチャーＶＯＢグループ情報＃１  ２７３〜＃ｇ２７９内のスチルピクチャーＶＯＢエントリー＃１  ２８１〜＃ｆ（第ｆ）２８９（図４（ｈ））で静止画像１枚毎のデータサイズ（１つのスチルピクチャーのサイズ２９２）の管理を行っている。
【００６０】
図９に示すように“曲名”や“歌手名”“演奏者名”などのトラック毎の固有な情報はテキスト情報としてトラックヘッドエントリーポイント＃１  １７１〜＃３    １７３（図４（ｇ））内に記録されている。“曲名”や“歌手名”“演奏者名”など比較的データ量が少ないテキスト情報を記録する場所としてトラックヘッドエントリーポイント＃１  １７１〜＃３  １７３内にプライマリーテキスト情報５１〜５３と言う名の記録領域が存在する。
【００６１】
それに対して、トラック毎の固有情報ではあるが、データ量が膨大でプライマリーテキスト情報５１〜５３内に記録できない情報に対しては図１１に示すようにアイテムテキスト＃１  ２３６〜＃ｅ（第ｅ）２３８（図１１（ｆ））内に記録され、トラックヘッドエントリーポイント＃１  １７１〜＃３  １７３内には何番目のアイテムテキストを示すかの情報を持ったポインター情報のみが記録される構造になっている。アイテムテキスト情報は、図５（ｅ）に示すようにテキストデータマネージャー（Ｔｅｘｔ  Ｄａｔａ  Ｍａｎａｇｅｒ）１４６内にまとめて一括記録されている。このように一括記録することで、全アイテムテキスト＃１  ２３６〜＃ｅ（第ｅ）２３８の内容に対して“テキストサーチ”などの検索が行え、音声情報検索に役に立つ。なお、この明細書では記憶媒体に記録されている各種のデータ構造が階層的に示され、しかも複数の図面に種々の方面から記載されているが、対応する部分には一貫して同一符号を付している。
【００６２】
図１４には、本発明における情報記録再生装置内の構造を示す。
【００６３】
ディスクドライブ部４０９で情報記憶媒体１００に対する情報の記録及び再生を行っている。各種入力手段４４０〜４４２、４１２、４１３から入力された各種オブジェクト情報はエンコーダ部４０１でエンコードされた後にディスクドライブ部４０９を介して情報記憶媒体１００上に記録される。同時にそのオブジェクト情報に関する管理情報がメインＭＰＵ部（ＭＡＩＮ  ＭＰＵ部）４０４内で作られ、ディスクドライブ部４０９を介して情報記憶媒体１００上に記録される。
【００６４】
入力手段としては、マイク４４１、Ａ／Ｖ入力部４１２、キー入力部４４２、ＴＶチューナ部４１３、デジタルカメラ４４０がある。また放送信号を受信するセットトップボックス（ＳＴＢ）部４０３がある。エンコーダ部４０１は、Ａ／Ｖ入力が与えられるアナログデジタル（Ａ／Ｄ）変換部４１４、このＡ／Ｄ変換部４１４の出力信号（ビデオ信号）またはＳＴＢ部４０３からの出力ビデオ信号４２３のいずれかを任意に選択するセレクタ４１５を有する。
【００６５】
ビデオエンコード部４１６は、セレクタ４１５からのビデオ信号を例えばＭＰＥＧ規格に従い圧縮符号化のためにエンコードし、フォーマッタ部４１９に与える。オーディオエンコード部４１７は、Ａ／Ｄ変換部４１４からのオーディオ信号に対して例えばＭＰＥＧあるいはＰＣＭなどの処理を行い、フォーマッタ部４１９に与える。キー入力部４４２からの情報は、リアルタイムテキスト（ＲＴ＿ＴＥＸＴ）エンコード部４１８に入力され、テキストデータとしてフォーマッタ部４１９に入力される。フォーマッタ部４１９には、バッファメモリ部４２０が接続され、入力データが所定のフォーマットに変換するときの時間調整用として利用される。
【００６６】
フォーマッタ部４１９の出力（所定のフォーマットに変換された情報）は、デジタルプロセッサ（Ｄ−ＰＲＯ）部４１０で、管理情報と対応させられ、ディスクドライブ部４０９を介して情報記憶媒体１００に記録される。Ｄ−ＰＲＯ部４１０には、一時記憶部４１１が接続され、データ処理のバッファリングとして機能している。またＤ−ＰＲＯ部４１０では、エラー訂正符号の付加、変調処理などが施される。
【００６７】
管理情報は、メインＭＰＵ部４０４において、作成される。また、情報記憶媒体１００から読み取られた管理情報もメインＭＰＵ部４０４にて解読される。メインＭＰＵ部４０４は、内部にオーディオ関連データ作成制御部、オーディオ関連データ再生制御部、オーディオ関連データ部分消去制御部、ワークＲＡＭ部を有する。またメインＭＰＵ部４０４には、表示部４０８が接続され、またこの装置を制御するためのキー入力部４０７も接続されている。
【００６８】
上記情報記憶媒体１００の情報が再生される場合には、ディスクドライブ部４０９の例えば光学的な情報読み取り手段により記録情報が読み取られ、光電変換された信号がＤ−ＰＲＯ部４１０に導入される。そして再生情報は、デコーダ部４０２の分離部４２５に入力され、ビデオ情報、オーディオ情報、テキスト情報に分離される。
【００６９】
ビデオ情報は、ビデオデコード部４２８に導かれてデコードされ、オーディオ情報は、オーディオデコード部４３０に導かれてデコードされ、さらにテキスト情報は、テキストデコード部４２９に導かれてデコードされる。
【００７０】
ビデオデコード部４２８の出力ビデオ信号と、テキストデコード部４２９の出力テキストは、ビデオ処理（Ｖ−ＰＲＯ）部４３８に入力される。ビデオ処理部４３８から出力されたビデオ信号は、ビデオ（Ｖ）ミキシング部４０５を介してデジタルアナログ変換部４３６でアナログ信号に変換され、テレビジョン表示器４３７に供給される。
【００７１】
またビデオミキシング部４０５では、ＳＴＢ部４０３からのビデオ信号を合成することもできる。またこのビデオミキシング部４０５には、フレームメモリ部４０６が接続されている。ビデオミキシング部４０５の出力は、さらにインターフェース４３４を介してパソコン４３５に供給することも可能である。
【００７２】
さきのオーディオデコード部４３０においは、オーディオ信号がデコードされ、そのデコード出力は、インターフェース４３１を介してデジタル出力として導出することができる。またデコード出力は、デジタルアナログ変換器４３２を介してスピーカ４３３へ供給される。デジタルアナログ変換器４３２には、ＳＴＢ部４０３からオーディオ信号を入力することもできる。
【００７３】
システムクロック部４５０は、ＳＴＢ部４２１とデコーダ部４０２とエンコーダ部４０１、メインＭＰＵ部４０４など全体の同期を得るためのクロックを生成している。システムクロック部４５１は、ディスク再生時に再生情報とデコーダ部４０２との同期を取るための基準クロックを生成している。
【００７４】
再生時にはディスクドライブ部４０９を介して情報記憶媒体１００内に記録されている管理情報がＭＡＩＮ  ＭＰＵ部４０４内のワークＲＡＭ部内に一時記録される。このワークＲＡＭ部内に一時記録された管理情報を利用して情報記憶媒体１００上に記録された再生対象のオブジェクト情報が読み取とられ、さらにデコーダ部４０２でデコードされ、その後デコード出力がスピーカー４３３、テレビ表示器４３７あるいは表示部４０８に出力される。
【００７５】
ユーザインターフェースも含めた音声関連情報に関するプレイリストの作成方法と、その結果作られた管理データの詳細構造について以下に説明する。
【００７６】
ユーザがプレイリストを作成する時には図１４の表示部４０８には図６に示すようなオリジナルトラック１のリストと、ユーザが作成しようとするプレイリスト＃１  ２の両方を表示してユーザの利便性を高めたところに本発明実施例の特徴がある。
【００７７】
プレイリスト内容の作成方法説明の前に、本発明の特徴である図６に示した表示画面の作成方法について図１９を用いて説明する。初めに情報記憶媒体１００上に記録された管理情報記録領域１３０の情報を読み取り、一時的にＭＡＩＮ  ＭＰＵ部４０４内のワークＲＡＭ部内に一時記録する（Ｓ３１）。
【００７８】
最初に情報記憶媒体１００へ録画した順に再生手順が示されるオリジナルトラック１に関する管理内容はオリジナルプログラムチェーン情報１４４、または３２０内に記録されており、後述するようにオリジナルトラックに関する情報は特にプログラム情報＃１  ３１１〜＃４  ３１４内（図７の（ｈ）（ｇ））に記載されている。また先に説明したようにプレイリストのトラックに関する情報はユーザ定義ＰＧＣ情報テーブル１４５内のトラックヘッドエントリーポイント１７１〜１７３内に記録されている。それらの情報を利用してＭＡＩＮ  ＭＰＵ部４０４内でオリジナルトラック１に関するリスト画面を作成（Ｓ３２）し、プレイリスト＃１  ２に関する各トラックのリスト画面を個々に作成し（Ｓ３３）、両者の画面を合成して（Ｓ３４）表示する（Ｓ３５）。
【００７９】
図６でのピクチャー５の列はそれぞれのトラックの内容を示す静止画像である“代表画像”を示している。本発明実施例では音声情報を再生する時に最初に表示する静止画像を代表画像に利用する場合が多いが、それに限らず最初に表示する静止画像とは別に代表画像を指定できる構造になっている。ディスプレイモード７とは音声情報再生時に表示する静止画像の切り替え方とタイミングを示したものであり、
ディスプレイオーダーモード（Ｄｉｓｐｌａｙ  Ｏｒｄｅｒ  Ｍｏｄｅ）としては
・シーケンシャル（Ｓｅｑｕｅｎｔｉａｌ）…  あらかじめ指定された順番に従って表示する静止画像を切り替える方法。
【００８０】
・ランダム（Ｒａｎｄｏｍ）…  静止画像の表示順をまったくランダムに設定する。
【００８１】
（最悪の場合には、同じ静止画像が続けて表示される場合もある）
・シャフル（Ｓｈｕｆｆｌｅ）…  静止画像の表示順をあらかじめ指定された順番に対して順番を入れ替えて表示する。
【００８２】
（１サイクルの内同一の静止画像が表示されるのは１回のみ）
ディスプレイタイミングモード（Ｄｉｓｐｌａｙ  Ｔｉｍｉｎｇ  Ｍｏｄｅ）としては
・スライドショー（Ｓｌｉｄｅｓｈｏｗ）  …  あらかじめ決められたタイミングで次の静止画像へ切り替わる。
【００８３】
・ブラウザブル（Ｂｒｏｗｓａｂｌｅ）  …ユーザがスイッチを入れた時に初めて次の静止画像に切り替わる。
【００８４】
（ユーザがスイッチを入れるまでは同じ静止画像が表示されている）
がある。上記ディスプレイモード７はトラック単位に設定され、同一トラック内でディスプレイモードが変化する事は無い。
【００８５】
タイムチャート（Ｔｉｍｅ  Ｃｈａｒｔ）１１とはプレイリスト作成時にユーザがオリジナルトラックの一部を指定する時の指定範囲を可視化したものである。
【００８６】
図６のオリジナルトラック１の表示画面とそれに対する管理情報のデータ構造について図７を用いて説明する。図６のオリジナルトラック１に関する情報は全てオリジナルプログラムチェーン情報１４４内で管理されている。その概念を図７（ｈ）に示すオリジナルＰＧＣ３２０で模式図化した。オリジナルトラックに関しては各トラック毎にそれぞれプログラムが対応し、１オリジナルトラック＝１プログラムの関係になっている。図９に示すようなそれぞれのオリジナルトラックに関する情報はこのプログラムに関する管理情報記録領域であるプログラム情報＃１  ３１１〜＃５  ３０５内に記載されている。
【００８７】
１個のプログラムは１個以上のオリジナルセルから構成され、各オリジナルセルに対してオリジナルセル情報＃１  ３０１〜＃５  ３０５の管理情報記録領域が存在している。オリジナルトラック１（オリジナルＰＧＣ３２０）内においては全てのオリジナルセル＃１  ３０１〜＃５  ３０５に対して１対１にＡＯＢ＃１  〜＃５  が対応し、１セル＝１ＡＯＢの関係になっている。
【００８８】
図６と図７、図８の対応関係を以下に説明する。図６に示した“Ａｕｔｏｍａｔｉｃ”と言うトラック名（曲名）の音声情報はＡＲ＿ＡＵＤＩＯ．ＡＲＯ２２１ファイル内のＡＯＢ＃１  内に記録され、オリジナルトラックに関する管理情報はプログラム情報＃１  ３１１内に記録され、再生に関する情報はオリジナルセル情報＃１  ３０１内に記録されている。同様に“Ｆｉｒｓｔ  Ｌｏｖｅ”と言うトラック名（曲名）の音声情報はＡＲ＿ＡＵＤＩＯ．ＡＲＯ２２１ファイル内のＡＯＢ＃２  内に記録され、オリジナルトラックに関する管理情報はプログラム情報＃２  ３１２内に記録され、再生に関する情報はオリジナルセル情報＃２  ３０２内に記録されている。録画直後の“Ａｎｏｔｈｅｒ  Ｃｈａｎｃｅ”と言うトラック名（曲名）の音声情報は１個のＡＯＢとして管理されていたが、そのトラック内の一部を部分消去したため、ＡＯＢ＃４  とＡＯＢ＃５  の２個のＡＯＢに分割され、それに応じてオリジナルセル情報＃４  ３０４と＃５  ３０５に２分割された（図７（ｅ））。しかしトラック自体は変化しないため、プログラム情報＃４  ３１４は１個のまま維持されている。
【００８９】
ユーザは図６に示した画面を用いて編集処理によりユーザが望むプレイリスト内の新しいトラックを作成する。例えば図６に示すようにプレイリスト＃１  ２を作成した場合を考える。すなわち“Ａｕｔｏｍａｔｉｃ”のＡからＢまでの範囲と“Ａｎｏｔｈｅｒ  Ｃｈａｎｃｅ”の全部をつないでニュートラックＮｏ．１を作り、この音楽再生中に表示する静止画像を図７（ａ）に示すスチルピクチャーとしてはＮｏ．１からＮｏ．４までの４枚を設定する。次に“Ｉｎ  Ｍｙ  Ｒｏｏｍ”の表示する静止画像を変えた物をニュートラックＮｏ．２とし、“  Ｆｉｒｓｔ  Ｌｏｖｅ  ”のＡからＢまでと“Ａｕｔｏｍａｔｉｃ”のＣからＤまでをつなぎ、スチルピクチャーＮｏ．７からＮｏ．９までの３枚の静止画像を設定してニュートラックＮｏ．３とする。
【００９０】
この結果作られたプレイリストに関する管理情報とオリジナルＰＧＣとの関係を図７に示し、オーディオオブジェクトファイルであるＡＲ＿ＡＵＤＩＯ．ＡＲＯ２２１との関係を図８に示している。それぞれのオリジナルトラックの一部にそれぞれセル情報＃１  １６４〜＃６  １６９が対応し、そのセル情報＃１  １６４〜＃６  １６９内には、各トラック内の２枚目以降に表示する静止画像に対する管理情報が記録されたスチルピクチャーエントリーポイント２１〜２６が存在している。各セル情報＃１  １６４〜＃６  １６９内には“対応するオーディオオブジェクト情報（ＡＯＢ）＃１  １９６〜＃ｉ  １９７の指定情報”と“それぞれの開始と終了時刻に関する情報”が記録されており、対応するオーディオオブジェクト情報＃１  １９６〜＃ｉ  １９７内のオーディオオブジェクトエントリー＃１  〜＃５  （オーディオオブジェクトユニットエントリー＃１  ２４１〜＃ｈ２４８）を参照してＡＲ＿ＡＵＤＩＯ．ＡＲＯ２２１上のアクセスアドレスを割り出せるようになっている。
【００９１】
図７、図８に示したトラックヘッドエントリーポイント＃１    １７１〜＃３１７３とスチルピクチャーエントリーポイント２１〜２６内に記録される情報内容について図９を用いて説明する。「表示する静止画像の保存場所を指定する情報」は、図４（ｇ）、（ｈ）に示すスチルピクチャーＶＯＢグループ情報＃１  ２７３〜＃ｇ２７９の番号指定情報とその中のスチルピクチャーＶＯＢエントリー＃１  ２８１〜＃ｆ２８９の番号指定情報により対応する静止画像を指定している。この静止画像情報の指定方法を模式図的に示したのが図１０である。
【００９２】
図１０において、全ての静止画像は各スチルピクチャーＶＯＢグループ＃１  〜＃ｇ  毎にまとめてＡＲ＿ＳＴＩＬＬ．ＡＲＯ２１３ファイル内に記録され、各１枚毎の静止画像の管理情報はスチルピクチャーＶＯＢグループ情報＃１  ２７３〜＃ｇ２７９内のスチルピクチャーＶＯＢエントリー２８１〜２９９に記録されている。図９の「表示する静止画像の保存場所を指定する情報」は図１０におけるトラックヘッドエントリーポイント＃１  １７１〜＃３  １７３とスチルピクチャーエントリーポイント２１〜２６から各スチルピクチャーＶＯＢエントリー２８１〜２９９に向かう“実線の矢印”に対応する。
【００９３】
また図９で指定した「静止画像を表示するタイミング指定情報」とは、ディスプレイオーダーモード（Ｄｉｓｐｌａｙ  Ｏｒｄｅｒ  Ｍｏｄｅ）としてシーケンシャルモード（“Ｓｅｑｕｅｎｔｉａｌ  Ｍｏｄｅ”）を指定し、ディスプレイタイミングモード（Ｄｉｓｐｌａｙ  Ｔｉｍｉｎｇ  Ｍｏｄｅ）としてスライドショー（“Ｓｌｉｄｅｓｈｏｗ”）を指定した場合に有効となるタイミング指定情報であり、既に表示してある静止画像に対して該当するスチルピクチャーエントリーポイント２１〜２６が指定した静止画像に表示を切り替える時刻情報を意味する。
【００９４】
上記のディスプレイモードでは
・次のスチルピクチャーエントリーポイント２１〜２６が指定した時刻あるいは
・該当するトラックが終了する時刻
まで、ここで指定した静止画像を表示し続ける。本発明では表示を切り替える時刻情報として音声情報の表示時刻情報（Ｐｒｅｓｅｎｔａｔｉｏｎ  Ｔｉｍｅ）で表現しているが、本発明はそれに限らず、例えば該当するトラックの再生開始時刻から指定した静止画像に表示を切り替える時刻までの差分時間情報を用いる事もできる。「該当する静止画像の表示時間範囲情報」とはＤｉｓｐｌａｙ  Ｔｉｍｉｎｇ  Ｍｏｄｅとしてブラウザブルモード（“Ｂｒｏｗｓａｂｌｅ  Ｍｏｄｅ”）に指定した時に有効となる。
【００９５】
ユーザがスイッチを押すと前に表示していた静止画像からこのスチルピクチャーエントリーポイント２１〜２６で指定した静止画像に切り替わるが、その後ユーザがスイッチを押さない場合には該当するトラックが終了するまで同じ静止画像を表示し続ける事となる。「該当する静止画像の表示時間範囲情報」で最大表示時間を設定すると、その時間までユーザが静止画像の切り替えスイッチを押さない場合には自動的に該当する静止画像の表示を中止し、例えば自動的に“ブルーバック”に画面が切り替わるなどの処理が可能になる。逆にユーザが誤って静止画像の切り替わりスイッチを押し続けた場合には、すぐに次々と静止画像が変わってしまい、ユーザに落ち着いて静止画像を見せる事が出来なくなる。「該当する静止画像の表示時間範囲情報」で最小表示時間を設定すると、ユーザが静止画像の切り替わりスイッチを押し続けても、ここで設定した最小表示時間の間は表示する静止画像が切り替わらないように出来る。
【００９６】
トラックヘッドエントリーポイント１７１〜１７３またはプログラム情報３１１〜３１４内で指定された静止画像は常に該当するトラックの再生開始と同時に表示されるので「静止画像を表示するタイミング指定情報」は不要となる。本発明では該当するトラックの再生開始と同時に表示されるとは別に「該当するオーディオトラックの内容を代表する代表画像の保存場所を指定する情報」により独自にトラック単位の代表画像の設定が可能になっている。
【００９７】
図９に示す「該当するオーディオトラックの内容を代表する代表画像の保存場所を指定する情報」で指定した静止画像は、図６のピクチャ５、６の列に表示される静止画像に対応する。また図９に示す「該当するオーディオトラックの内容を代表する代表画像の保存場所を指定する情報」は、図１０におけるトラックヘッドエントリーポイント＃１  １７１〜＃３  １７３とスチルピクチャーエントリーポイント２１〜２６から各スチルピクチャーＶＯＢエントリー２８１〜２９９に向かう“破線の矢印”に対応する。
【００９８】
上述したように静止画像に対するディスプレイモード７はトラック単位に設定され、同一トラック内でディスプレイモードが変化する事は無いため、トラック固有の情報としてトラックヘッドエントリーポイント１７１〜１７３またはプログラム情報３１１〜３１４内に記録される。図９における「該当するオーディオトラック内での静止画像の表示モード（ディスプレイモード）」で設定された内容が図６のディスプレイモード７、８に表示される。
【００９９】
図９における「該当するオーディオトラック固有のテキスト情報（Ｐｒｉｍａｒｙ  Ｔｅｘｔ情報）」の内容が以前に説明した図１１（ｅ）におけるプライマリーテキスト情報５１〜５３に対応し、その情報の中の“曲名”の情報が図６の“トラックタイトル３”の列に表示される。図９における「付加説明用テキスト情報」は以前説明した図１１（ｄ）でのトラックヘッドエントリーポイント＃１  １７１〜＃３  １７３からアイテムテキスト＃１  ２３６〜＃ｅ２３８へ向かう“矢印”に対応し、“アイテムテキスト番号”を示す情報内容を持っている。
【０１００】
図９における「表示する静止画像内容のオリジナルトラックとの関係」の情報内容が図６での“スチル１０”に表示される。すなわち図６におけるニュートラックＮｏ．１〜Ｎｏ．３で表示する静止画像はオリジナルトラック１で使われた静止画像をそのまま利用しているか（この場合が“オリジナル”と表示される）、オリジナルトラック１で使われた静止画像とは別にユーザが独自に設定したものか（この場合は“ニューリーセット”と表示される）の識別情報が与えられている。
【０１０１】
本発明では消去可能領域であるか、消去不可能な領域であるかの設定単位をトラック単位で設定している。従って消去を禁止するオーディオトラックに対しては「消去禁止フラグ」が“１”の情報が設定される。
【０１０２】
図１０（ｈ）に示すように映像情報（ムービーオブジェクト）が記録されたＶＲ＿ＭＯＶＩＥ．ＶＲＯ２１２ファイル内の任意の映像画面を音声情報再生時に同時に表示する静止画像として活用できるところに本発明の特徴がある。その具体的方法について図１０と図２２、図２３を用いて説明する。まずユーザに対して図６に示すように情報記憶媒体１００上に記録されたオーディオトラックの一覧表を表示し、静止画像を設定したいトラックをユーザに指定してもらう（Ｓ６３）。次にＶＲ＿ＭＯＶＩＥ．ＶＲＯ２１２ファイル内に記録された映像情報を表示しながらユーザに希望の画面（場面）を指定してもらう（Ｓ６４）。ユーザが指定した画面（場面）は図１４内のデコーダ部４０２内で既にデコードされているので、その画像情報がそのまま静止画像（Ｉピクチャー）として情報記憶媒体１００上のＡＲ＿ＳＴＩＬＬ．ＡＲＯ２１３ファイル内に記録される（Ｓ６５）とともにそれに関する管理情報が作成される（Ｓ６６）。そこで作成した静止画像と音声情報間の表示関係情報がトラックヘッドエントリーポイント＃２  １７２またはスチルピクチャーエントリーポイント２４に記録される。一般のユーザは希望する画面（場面）は設定するが、表示タイミングまでは設定しない場合が多い。従って図１４に示した情報記録再生装置内のＭＡＩＮ  ＭＰＵ部４０４内で自動的に「静止画像を表示するタイミングの指定情報」（図９）の値を設定する（図２２、図２３のＳ６８）ところに、本発明における情報記録再生装置の特徴がある。
【０１０３】
具体的には
〔静止画像１枚当たりの表示時間〕＝〔該当するオーディオトラックの再生時間〕÷〔該当するオーディオトラック内で表示する静止画像枚数〕
として自動計算する。
【０１０４】
オリジナルトラックの情報を管理するオリジナルＰＧＣ３２０においては図９に示すオリジナルトラックに関する情報はプログラム情報＃１  ３１１〜＃４  ３１４内に記録されている。プログラム情報＃１  ３１１〜＃４  ３１４での静止画像の設定状況を図１２に示す。
【０１０５】
図１２（ａ）はオリジナルオーディオトラック（図１２（ｂ））に対応したスチルピクチャーを示し、図１２（ｃ）はオリジナルプログラムチェーンを示している。ここで各オリジナルオーディオトラックにはプログラム情報が対応している。そして、プログラム情報＃１  ３１１〜＃４  ３１４内にそれぞれのオーディオトラック内容を示す代表画像を指定する情報４１〜４４が記録されており、そこから直接スチルピクチャーＶＯＢエントリー＃１  ２８１〜＃ｐ＋１２９６（図１２（ｇ））を指定できるようになっている。図１２（ｇ）は別ファイルであり、スチルピクチャーＶＯＢグループ情報である。
【０１０６】
オリジナルセル情報＃１  ３０１〜＃５  ３０５内にはトラックヘッドエントリーポイント情報は持たず（オーディオトラック再生開始時に表示する静止画像も含めて）全てスチルピクチャーエントリーポイント３１〜３９のみの情報になる。
【０１０７】
また管理情報内には、代表画像指定情報４１〜４４が存在し、トラック単位に指定し、そのトラック内容を示す代表画像の指定情報として機能する。また上記の代表画像の指定情報はオーディオトラック再生時に表示する静止画像の指定情報とは別に設けられている。このために、オーディオトラック再生時にぼう持する静止画像が記録されているビデオオブジェクト（ＶＯＢ）グループ以外の別場ところにあるＶＯＢグループ内の任意の静止画像を代表画像として設定でき、自由度を高めることができる。
【０１０８】
図１３は更に別の実施の形態あるいは上記の実施の形態とともに共存する実施の形態である。ここではプログラム情報＃１  ３１１〜＃４  ３１４でのテキスト情報の設定状況を図１３に示す。図９の「該当するオーディオトラック固有のテキスト情報」は図１３（ｄ）に示すようにプログラム情報＃１  ３１１〜＃４３１４内のプライマリーテキスト情報５６〜５９内に記録される。また、図９の「付加説明用テキスト情報」は図１３（ｅ）のアイテムテキスト＃１  ２３６〜＃ｅ２３８へ向かう“矢印”に対応し、“何番目のアイテムテキストを指定するか”の情報が記録されている。
【０１０９】
以上の説明では図９に示すようなオーディオトラックに関する固有情報の記録
・管理場所として
・オリジナルトラックの場合にはプログラム情報内に記録し、管理する。また
・プレイリストの場合にはトラックヘッドエントリーポイント内に記録し、管理する。場合について説明した。
【０１１０】
しかし本発明においては上記方法に限らず、オーディオトラックに関する固有情報の記録・管理場所が逆転したり、両方とも同一の場ところに記録し、管理する場合も本発明範囲内に含まれる。
【０１１１】
すなわち、プレイリストに対してもユーザ定義ＰＧＣ内にプログラム情報が存在し、このユーザ定義ＰＧＣ内のプログラム情報内に図９に示すようなオーディオトラックに関する固有情報を記録し、管理する方法も本発明範囲内に含まれる。
【０１１２】
次に、図１５、図１６を用いて情報記憶媒体１００上に対する音声関連情報の録音方法について説明する。
【０１１３】
本発明におけるほとんどの処理は、情報記憶媒体１００上に記録された管理情報記録領域１３０の情報を読み取り、一時的にＭＡＩＮ  ＭＰＵ部４０４内のワークＲＡＭ部内に一時記録（Ｓ１）する。そして、一連の処理の後にワークＲＡＭ部内に記録され、一部内容が変更された管理情報を、情報記憶媒体１００上に記録する処理（Ｓ１２）を行う。
【０１１４】
図１５、図１６に示した本発明実施例では、始めに音声情報をＡＲ＿ＡＵＤＩＯ．ＡＲＯ２２１ファイルの後ろに追加記録（Ｓ２）し、その後でワークＲＡＭ部内の管理情報を書き換える処理を行う。管理情報内容の変更に対しては、始めに音声情報に関する管理情報をオーディオオブジェクト情報内に追記変更する。
【０１１５】
つまり、ステップＳ３では、メインＭＰＵ部４０４内では、ステップＳ２で録音したオーディオトラックにあわせてプログラム情報、オリジナルセル情報、オーディオオブジェクト情報を作成し、ワークＲＡＭ部に追加記録する。さらにステップＳ４では、録音したオーディオトラックに対してオーディオオブジェクトユニット毎のＡＲ＿ＡＵＤＩＯ．ＡＲＯ２２１内の相対アドレスを調べ、ワークＲＡＭ部内のオーディオオブジェクト情報内に追加記録する。
【０１１６】
次に音声情報と同時に表示する静止画像を設定するかをユーザに問い合わせる（Ｓ５）。さらに、音声と同時に表示する静止画像を設定する場合でも
（１）音声情報の録音と同時に新規の静止画像を記録する時には（ステップ６の判断でＹＥＳ），
…新規記録する静止画像をＡＲ＿ＳＴＩＬＬ．ＡＲＯ２１３ファイルに記録する。それに対応して静止画像の管理情報スチルピクチャーＶＯＢグループ情報を作成する。つまり、静止画像情報をＡＲ＿スチルピクチャーオブジェクト記録領域１３２内に記録（ＡＲ＿ＳＴＩＬＬ．ＡＲＯ２１３ファイル後端に追記）し、それにあわせてスチルピクチャーＶＯＢグループ情報を作成し、ワークＲＡＭ部内に追記する（Ｓ７）。
【０１１７】
（２）既に情報記憶媒体１００上に記録されている静止画像を利用する時には（ステップ６の判断でＮＯ），
…音声情報と同時に表示する静止画像をユーザに選んでもらう（Ｓ８）。つまり、すでに情報記憶媒体１００内に記録されたスチルピクチャＶＯＢグループの中から該当するオーディオトラックに対して同時表示したい静止画像をユーザに選んでもらう。
【０１１８】
のいずれかの方法を選択する。
【０１１９】
スチルピクチャーエントリーポイントに設定する「静止画像を表示するタイミングの指定情報」の情報内容は、図１４の情報記録再生装置のＭＡＩＮ  ＭＰＵ部４０４内で
〔静止画像１枚当たりの表示時間〕＝〔該当するオーディオトラックの再生時間〕÷〔該当するオーディオトラック内で表示する静止画像枚数〕
の計算を行い（ワークＲＡＭ部内に一時記録されているスチルピクチャーエントリーポイント３１〜３９内の「静止画像を表示するタイミングの指定情報」に対して計算結果の値を記録する）自動設定される（Ｓ９）。
【０１２０】
次にプログラム情報３１１〜３１４内に記録し、オーディオトラック毎に設定する「該当するオーディオトラックの内容を代表する代表画像の保存場所を指定する情報」、「該当するオーディオトラック固有のテキスト情報」、「付加説明用テキスト情報」、「該当するオーディオトラック内での静止画像の表示モード」、「消去禁止フラグ」の情報をユーザに入力してもらう（Ｓ１０、Ｓ１１）。
【０１２１】
つまり、ステップＳ１０；ユーザに「該当するオーディオトラックに対する代表画像」を「静止画像の表示モード」として設定してもらい、その情報をワークＲＡＭ部内に一時記憶されているプログラム情報３１１〜３１４内に記録する。
【０１２２】
次にステップＳ１１で、キー入力部４０７を利用してユーザに「プライマリーテキスト情報」と「アイテムテキスト情報」を設定してもらい、その情報をワークＲＡＭ部内に一時記録されているプライマリーテキスト情報５６〜５９とアイテムテキスト２３６〜２３８内に記録するとともにアイテムテキストへのポインター情報も記録する。
【０１２３】
また図示していないが、オーディオトラック毎の固有情報をプログラム情報３１１〜３１４内に記録するとき（ステップＳ１０），図９に示す「該当するオーディオトラックの内容を示す代表音声の表示範囲を指定する情報」内に該当するオーディオトラックの再生開始時間から特定の時間（例えば５秒間）までの時間を自動的に記録される。この時間範囲を変更したい場合には、編集処理時にユーザが代表音声の表示範囲を設定し直すことができる。
【０１２４】
以上の一連の処理により音声関連情報に関する管理情報を完成させ、その管理情報はディスクドライブ部４０９を経由して情報記憶媒体１００上へ記録する（Ｓ１２）。
【０１２５】
本発明においてオリジナルトラック内の部分消去を行う方法に付いて説明する。図７（ｅ）、図７（ｆ）に示すように“Ａｎｏｔｈｅｒ  Ｃｈａｎｃｅ”と言うトラック名（曲名）のオリジナルトラックの中央部を部分消去するとＡＯＢ＃４  、＃５  のようにオーディオオブジェクトが２分割される。また、それに対応してオーディオオブジェクト情報、オリジナルセル情報＃４  ３０４、＃５  ３０５が２分割される。その時の情報記録再生装置内での処理方法について図１７、図１８を用いて説明する。
【０１２６】
図１７、図１８において、ユーザが部分消去範囲を時間情報で指定する（Ｓ２２）と、対応して管理情報内容が変更され（Ｓ２３）、ＡＲ＿ＡＵＤＩＯ．ＡＲＯ２２１内の該当個所が消去される。この部分消去対象範囲内に表示されていた静止画像の取り扱いが重大な問題となる。
【０１２７】
この部分消去後の静止画像の取り扱い方法として
（Ａ）部分消去場ところによらず、部分消去前の静止画像全てを部分消去後の音声情報再生時に表示する（Ｓ２７）
…この場合には図９の「静止画像を表示するタイミングの指定情報」を再計算して自動的に書き換える。
【０１２８】
（Ｂ）部分消去場所内のみに表示していた静止画像は部分消去後の再生時には表示しない（Ｓ２８）。
【０１２９】
の２通りの方法を本発明では選択する。この時、部分消去場所内のみに表示していた静止画像（指定された一部の静止画像）を表示可能とするかの判定情報が管理情報内に事前に記録されており、その情報に基付き（Ａ），（Ｂ）のいずれかを選択する（図１７、図１８のＳ２６）ところに本発明の編集方法における第１の特徴がある。
【０１３０】
上記判定情報はユーザが認識可能な情報になっていると言うところに本発明の第２の特徴がある。ユーザが認識可能な状況で有れば、（Ａ），（Ｂ）のいずれを選択したかがユーザにも理解でき、ユーザの混乱を回避できる。ユーザが認識可能な上記判定情報として本発明では図６にあるディスプレイモード７を利用している。
【０１３１】
すなわちオリジナルトラック１のディスプレイモード７が“Ｓｌｉｄｅｓｈｏｗ＋Ｓｅｑｕｅｎｔｉａｌ”を表示している（その時のプログラム情報内の「該当するオーディオトラック内での静止画像の表示モード」も同じ情報が記録されている）場合にのみ上記の〔Ｂ〕を選択し、それ以外の情報が記録されている場合には〔Ａ〕を選択する。
【０１３２】
図１７、図１８において、さらに詳しく説明する。ステップＳ２１ではディスクドライブ部４０９でディスク内の管理情報記録領域１３０の情報を読み取り、ＭＡＩＮ  ＭＰＵ部４０４内のワークＲＡＭ部内に一時記録する。ステップＳ２２では、ユーザがオリジナルトラック内の部分消去する範囲を指定（時間情報で指定）する。ステップＳ２３では、ユーザが指定したオリジナルトラックが含まれるオーディオオブジェクト情報に対して、ユーザが指定した部分消去範囲の前後でオーディオオブジェクトを２分割する。前半（部分消去個所の前）のオーディオオブジェクトに対しては既存のオーディオオブジェクト情報を使用し、不要なオーディオオブジェクトユニットエントリーを削除処理する（メインＭＰＵ部４０４）が行う。同様に後半（部分消去個所の後ろ）のオーディオオブジェクトに対しては新たに１個のオーディオオブジェクト情報を作成し、元のオーディオオブジェクトユニットエントリーから該当する部分をコピーしてワークらＲＡＭ部に記録する。
【０１３３】
ステップＳ２４では、オーディオオブジェクトが記録されているＡＲ＿ＡＵＤＩＯ．ＡＲＯ  ２２１ファイル内の部分消去範囲を消去する。そして次のステップＳ２５では、該当するオリジナルトラックに関するプログラム情報内に記録された静止画像情報に関するディスプレイモード情報からユーザが指定した部分消去範囲内に表示していた静止画像を部分消去後に表示するか否かの判断メインＭＰＵ部４０４内で行う。
【０１３４】
該当する静止画像を部分消去後表示する場合には（ステップＳ２６でイエス）、部分消去後のオーディオトラックの表示時間を表示する性画像の枚数で割り、静止画像１枚あたりの表示時間を計算し、ワークＲＡＭ部内に一時記録されているスチルピクチャエントリーポイント３１〜３９内の「静止画像を表示するタイミングの指定情報」の内容を変更する。逆に該当する静止画像を部分消去後表示しない場合には（ステップＳ２６でノー）、オリジナルセル情報３０１〜３０５内に記録されていた部分消去前のスチルピクチャーエントリーポイント３１〜３９の中からユーザが指定した部分消去範囲内に含まれるスチルピクチャエントリーポイントの情報を削除する（Ｓ２８）。
【０１３５】
次のステップＳ２９では、ワークＲＡＭ内に一時記録された管理情報をディスクドライブ部４０９を経由して情報記憶媒体内の管理情報記録領域１３０へ書き換える。
【０１３６】
次に、図１９を参照して、図６で示したようなプレイリスト作成用表示画面の作成処理方法について説明する。
【０１３７】
ディスクドライブ部４０９でディスク内の管理情報記憶領域１３０の情報を読み取り、メインＭＰＵ部４０４内のワークＲＡＭ部内に一時記憶する（Ｓ３１）。次にメインＭＰＵ部４０４は、一時記憶されているプログラム情報３１１〜３１４の情報内容からディスク１００に記録されているオリジナルトラックに関する情報を解釈し、オリジナルトラック１に関する表示画面内容を作成する（Ｓ３２）。次にメインＭＰＵ部４０４は、一時記憶されているユーザ定義ＰＧＣ情報テーブル１４５を構成しているセル情報１６４〜１６９内のトラックヘッドエントリーポイント１７１〜１７３の情報を用い、各プレイリスト毎のトラックに関する情報を抽出し、プレイリスト２に関する表示画面内容を作成する（Ｓ３３）。
【０１３８】
次にステップＳ３２とＳ３３で作成した各表示画面を合成し、Ｖミキシング部へ転送する（Ｓ３４）。そして、メインＭＰＵ部４０４内部で作成した表示画面をＤ／Ａ変換器４３６を経由させて表示部４０８で表示する。
【０１３９】
図２０、図２１を参照して、本発明におけるプレイリストの作成方法についてさらに説明する。管理情報記録領域１３０の情報を読み取り、メインＭＰＵ部４０４内のワークＲＡＭ部内に一時記録する（Ｓ４１）。
【０１４０】
次に、図１９に示した方法でユーザに対して編集画面（オリジナルトラック１、プレイリストの画面）を表示し（Ｓ４２）、ユーザにプレイリスト作成をしてもらう（Ｓ４３）。ここでは、ユーザが画面を見ながら新たに作成するニュートラックとオリジナルトラックの関係を入力することになる。
【０１４１】
ディスプレイモードは最初に再生される元のオリジナルトラックで指定されたディスプレイモードに自動的に一致設定されるが、後からユーザが画面を見ながら変更する事は可能である。同時にユーザに新しくプレイリスト上に作成したトラックに関する固有情報を入力してもらう（Ｓ４４）。
【０１４２】
つまりこのステップでは、ユーザが表示画面を見ながら新たに作成するニュートラックに関する表示モード８（図６）と、代表画像と、静止画設定条件（オリジナルの場合は、オリジナルトラックで設定した静止画像と同じものを表示させる、ニューリーセットの場合はユーザが新たに静止画像を指定する）を入力することになる。
【０１４３】
次に、図１４に示した情報記録再生装置のＭＡＩＮ  ＭＰＵ部４０４内では上記の入力情報に基付き、新しいセル情報の作成と、その中のトラックヘッドエントリーポイント内の情報記録を行う（Ｓ４５）。
【０１４４】
つまりこのステップでは、ワークＲＡＭ部内において、該当するユーザ定義ＰＧＣ情報１５６，１５７内に新たにセル情報１６４〜１６９を追加設定し、ユーザが設定した新しいトラック内の先頭に位置するセルに対するセル情報内に、トラックヘッドエントリーポイント１７１〜１７３を追記する。
【０１４５】
次に、このトラックヘッドエントリーポイント１７１〜１７３内にユーザが指定した表示モードと代表画像の指定情報と、代表音声の表示範囲を追記する（Ｓ４６）。このステップＳ４６における代表音声の表示範囲は、新しく作成したニュートラックの再生開始時間から特定の時間（例えば５秒間）までの時間を自動的に記録される。この時間範囲を変更したい場合は、編集処理時にユーザが代表音声の表示範囲を設定し直すことができる。
【０１４６】
この新しく作成したニュートラックに対して再生と同時に表示する静止画像をユーザが新たに設定し直す場合には（Ｓ４７）、ユーザのキーイン結果に応じて図６のスチル１０が“オリジナル（Ｏｒｉｇｉｎａｌ）”から“ニューリーセット（Ｎｅｗｌｙ  Ｓｅｔ）”に変更されるとともにユーザに静止画像を選択してもらう（Ｓ４８）。つまり新たに作成するニュートラックの表示と同時に表示する静止画像を既存のスチルピクチャＶＯＢグループ情報２７３〜２７９の中からユーザが選択することになる。
【０１４７】
プレイリスト作成時の静止画像の設定方法として
（Ａ）ユーザによるオリジナルトラック内の指定場ところによらず、関係するオリジナルトラックが持っていた静止画像全てをプレイリスト内の新しいトラックの再生時に表示する（Ｓ５１）。
【０１４８】
…例えば３個のオリジナルトラックから新しいトラックを作成した場合には、３個のオリジナルトラックを再生する時に表示する全ての静止画像を新しいトラックを再生する時に表示する。
【０１４９】
（Ｂ）新しいプレイリストを作成するために引用されたオリジナルトラック内の指定場所を再生する時に表示される静止画像のみを新しいトラックの再生時に表示する（Ｓ５０）。
【０１５０】
の２通りの方法を本発明では選択する。この時、どちらの方法を採用するかの判定情報が管理情報内に事前に記録されており、その情報に基付き（Ａ），（Ｂ）のいずれを選択する（図２０、図２１のＳ４９）ステップ（Ｓ４９）ところに本発明の編集方法における第１の特徴がある。
【０１５１】
また、上記判定情報はユーザが認識可能な情報になっていると言うところに本発明の第２の特徴がある。ユーザが認識可能な状況で有れば、（Ａ），（Ｂ）のいずれを選択したかがユーザにも理解でき、ユーザの混乱を回避できる。
【０１５２】
ユーザが認識可能な上記判定情報として本発明では図６にあるディスプレイモード７を利用している。すなわち新しいトラックを再生する時に最初に再生する音声情報を引用したオリジナルトラック１（例えば図６の例ではニュートラックＮｏ．１ではオリジナルトラックの“Ａｕｔｏｍａｔｉｃ”を意味し、ニュートラックＮｏ．３ではオリジナルトラックの“Ｆｉｒｓｔ  Ｌｏｖｅ”を意味している）のディスプレイモード７が“Ｓｌｉｄｅｓｈｏｗ＋Ｓｅｑｕｅｎｔｉａｌ”を表示している（その時のプログラム情報内の「該当するオーディオトラック内での静止画像の表示モード」も同じ情報が記録されている）場合にのみ上記の（Ｂ）を選択し、それ以外の情報が記録されている場合には（Ａ）を選択する。
【０１５３】
また図２０、図２１では図示してないが、「静止画像を表示するタイミングの指定情報」の設定（Ｓ５２）直後に、新しく作成したトラックに対応するトラックヘッドエントリーポイント内に記録する「該当するオーディオトラック固有のテキスト情報」と「付加説明用テキスト情報」は新しいトラックを再生する時に最初に再生する音声情報を引用したオリジナルトラック１内の情報が自動転記され、必要に応じてユーザのキーイン操作によるテキスト情報の書き換えが行われる（Ｓ５３）。
【０１５４】
図２２、図２３には、映像情報を音声情報と同時に表示する静止画像情報として利用する場合の処理手順を示している。
【０１５５】
管理情報記憶領域１３０の情報を読み取り、メインＭＰＵ部４０４内のワークＲＡＭ部内に一時記録する（Ｓ６１）。次に、図１９で示した方法でオリジナルトラック１とプレイリストの画面を表示する（Ｓ６２）。ユーザが表示画面を見ながら映像情報から抽出した静止画情報を同時に表示させるトラックを指定する（Ｓ６３）。
【０１５６】
次にユーザは、表示画面を見ながら映像情報（ムービーオブジェクトの情報が記録されたＶＲ＿ＭＯＶＩＥ．ＶＲＯ２１２ファイル内の映像情報）の中から静止画情報として抽出したい場面を指定する（Ｓ６４）。このステップで指定された画面情報は、静止画像として抽出され、その静止画像はＶ＿ＰＲＯ部４３８からビデオミキシング部４０５を経由してディスクドライブ部４０９から情報記憶媒体１００上のスチルピクチャーオブジェクトファイルであるＡＲ＿ＳＴＩＬＬ．ＡＲＯ２１３の一部として記録される（Ｓ６５）。次に、このステップで抽出されてディスクに記録された静止画像に対応して、メインＭＰＵ部４０４内のワークＲＡＭ部内に新たなスチルピクチャＶＯＢグループ情報＃ｇ２７９と、スチルピクチャＶＯＢエントリー＃１  ２９８、＃２  ２９９の情報が記録される（Ｓ６６）。
【０１５７】
次にステップＳ６３内でユーザが指定したトラックに対応するセル情報＃４  １６７内のトラックヘッドエントリーポイント＃２  １７２と、スチルピクチャエントリーポイント２４で指定する静止画情報をステップＳ６６で作成したスチルピクチャＶＯＢエントリー＃１  ２９８，＃２  ２９９に変更する（Ｓ６７）。
【０１５８】
次に該当するトラックの表示時間をトラック内で表示する静止画像の枚数で割り、静止画像１枚あたりの表示時間を計算し、その結果をワークＲＡＭ部内に一時記憶されているスチルピクチャエントリーポイント２４と、トラックヘッドエントリーポイント１７２内の「静止画像を表示するタイミングの指定情報」内に記録する（Ｓ６８）。そして、メインＭＰＵ部４０４内のワークＲＡＭ部内に一時記録された管理情報をディスクドライブ部４０９を経由して管理情報記録領域１３０へ書き換える（Ｓ６９）。
【０１５９】
図２４、図２５を用いて、上記の方法で情報記憶媒体１００に記録した音声関連情報の再生方法について説明する。
【０１６０】
管理情報記録領域１３０の情報を読み取り、メインＭＰＵ部４０４内のワークＲＡＭ部内に一時記憶する（Ｓ７１）。次に、ワークＲＡＭ部内に一時記録されたプログラム情報３１１〜３１４の情報から、情報記憶媒体に記録されているオリジナルトラックに関する情報を解釈し、オリジナルトラック１に関する表示画面内容を作成する（Ｓ７２）。次に、ワークＲＡＭ部内に一時記録されたユーザ定義ＰＧＣ情報テーブル１４５を構成するセル情報１６４〜１６９内のトラックヘッドエントリーポイント１７１〜１７３の情報から各プレイリスト毎のトラックに関する情報を抽出し、プレイリスト２に関する表示画面内容を作成する（Ｓ７３）。
【０１６１】
次に、図１９のステップＳ３２、Ｓ３３で作成した表示画面を合成し、Ｖミキシング部へ転送する（Ｓ７４）。さらに表示画面をＤ／Ａ変換器４３６を経由させて表示部４０８で表示する（Ｓ７５）。
【０１６２】
図１９の方法で図６に示した画面を表示し、ユーザに再生対象のトラックを指定してもらう（Ｓ７６）。ユーザは、聞きたい曲を選定する前に代表音声を聞くことでそれが本当にユーザが聞きたい曲か否かを事前確認できる。すなわち確認したいオーディオトラックを指定し、代表音声の再生ボタンをユーザが押すと、メインＭＰＵ部４０４内で「該当するオーディオトラックの再生内容を示す代表音声の表示範囲を指定する情報」から（Ｓ７７），オーディオオブジェクトユニットエントリー＃１  ２４１〜＃ｈ  ２４８を利用して、ＡＲ＿ＡＵＤＩＯ．ＡＲＯ２２１内のアクセスすべきアドレスを算出（Ｓ７８）し，音声情報を情報記憶媒体から再生し、表示する（Ｓ７９）。
【０１６３】
ステップＳ７７では具体的には、トラックヘッドエントリーポイント１７１〜１７３、またはプログラム情報３１１〜３１４内の「該当するオーディオトラックの内容を示す代表音声の表示範囲を指定する情報」から代表音声の再生開始時間と再生終了時間を読み取る。
【０１６４】
またステップＳ７８では、オーディオオブジェクト情報１９６〜１９７内のオーディオオブジェクトユニットエントリー２４１〜２４８の情報を用いて代表音声の情報が記録されているＡＲ＿ＡＵＤＩＯ．ＡＲＯ２２１内の再生開始アドレスと再生終了アドレスを算出する。そしてステップＳ７９では、所定アドレス範囲が再生され、音声出力されるが、ユーザはその代表音声を聞いて自分が聞きたいオーディオトラックであるか否かを判断する。確認の後は、再生範囲を指定して再生ボタンを押す（Ｓ８０）。またワークＲＡＭ部内に一時記憶された管理情報からユーザが指定したトラック範囲がオリジナルＰＧＣ情報１４４内あるいはユーザ定義ＰＧＣ情報１５６、１５７内のどの範囲に該当する判別する（Ｓ８１）。
【０１６５】
そして、オリジナルＰＧＣ情報１４４内あるいはユーザ定義ＰＧＣ情報１５６，１５７内のプログラム情報３１１〜３１４の配列順またはセル情報１６４〜１６９の配列順に従ってディスクからオブジェクト情報をトラック単位毎に再生し、トラック単位毎に出力表示する（Ｓ８２）。
【０１６６】
このように、本発明では、情報記録再生装置内のＭＡＩＮ  ＭＰＵ部４０４でユーザが設定した範囲は各オブジェクトファイル内のどの部分に対応するかを判別し（Ｓ７７）、その結果に基付き再生・表示する。この時、オリジナルプログラムチェーン情報１４４内あるいはユーザ定義ＰＧＣ情報１５６、１５７内に存在するプログラム情報３１１〜３１４の配列順またはセル情報１６４〜１６９の配置順に従って情報記憶媒体１００からオブジェクト情報をトラック単位毎に再生するところに本発明の特徴がある。
【０１６７】
上記した本発明で実行された要点をまとめると、次のようになる。
【０１６８】
ＰＧＣＩ内にオーディオトラックの切れ目情報を記録する。トラック切れ目情報内にテキスト情報とトラックの代表画像を持たせる。オリジナルトラック毎にプログラム情報が記録される。
【０１６９】
またセル情報内のトラックヘッドエントリーポイントでトラックの切れ目を表す。ＰＧＣＩ内に記述されたプログラム情報／セル情報の配列順に従ってトラック毎に再生する。ユーザが指定した静止画像に合わせてそれぞれの表示タイミングを自動算出する。オリジナルリストとプレイリストを同時に画面上に表示する表示方法（ＲＴＲの適応も目指す）。
【０１７０】
さらにまた、オリジナルトラックの情報を用い、プレイリスト上でのトラックを作成する編集方法。オリジナルトラックの持つどの静止画像をプレイリストのトラックに貼り付けるか決める。部分消去後にどの静止画像を残して表示するかを決める。ムービーオブジェクトの任意画面を静止画像に抽出し、オーディオオブジェクトと同時表示する編集方法。などを揚げることができる。
【０１７１】
【発明の効果】
以上説明したように本発明における効果をまとめると下記の通りとなる。
【０１７２】
１．音声情報に関する管理情報内の再生手順を示すＰＧＣ（Ｐｒｏｇｒａｍ  Ｃｈａｉｎ）Ｉｎｆｏｒｍａｔｉｏｎにオーディオトラックの切れ目情報を持たせる事で、管理情報に対して既存のＶｉｄｅｏ  Ｒｅｃｏｒｄｉｎｇ規格と同じデータ構造とデータ構造階層（ＰＧＣ／（Ｐｒｏｇｒａｍ）／セルの階層構造）を確保できる。
【０１７３】
その結果、既存のＶｉｄｅｏ  Ｒｅｃｏｒｄｉｎｇ規格との間の高い互換性が確保でき、映像情報（ムービーオブジェクト）と音声情報間の再生時の相互乗り入れが可能となる。また、管理情報内にオーディオトラックの切れ目情報が記録されるので音声情報特有のオーディオトラック単位の記録、再生、編集処理を非常に容易に行うことができる。
【０１７４】
２．オリジナルトラックに関する管理情報であるオリジナルプログラムチェーン情報１４４内のプログラムをオリジナル  トラックに対応させ、このプログラムに関する情報記録領域であるプログラム情報３１１〜３１４にオーディオ  トラック固有な“オーディオトラックに関するテキスト情報”、“オーディオトラックの内容を示す代表画像”、“静止画像の表示モード”、“消去禁止フラグ”などを記録する事でオーディオトラック個々の情報を細かく管理でき、オーディオトラック単位の記録、再生、編集処理を非常に容易に行うことができる。
【０１７５】
３．プレイリストに関する管理情報であるユーザ定義ＰＧＣ情報テーブル１４５内のセル情報１６４〜１６９に対してオーディオトラックの切れ目情報を示すトラックヘッドエントリーポイント１７１〜１７３の情報を記録し、“オーディオトラックに関するテキスト情報”、“オーディオトラックの内容を示す代表画像”、“静止画像の表示モード”、“消去禁止フラグ”など各種オーディオトラック固有の情報をこのトラックヘッドエントリーポイント１７１〜１７３内に持たせる事でオーディオトラック個々の情報を細かく管理でき、オーディオトラック単位の記録、再生、編集処理を非常に容易に行うことができる。
【０１７６】
４．オーディオトラック再生時に同時に表示する静止画像をユーザが指定すると、オーディオトラックの再生時間と設定した静止画像の枚数から音声情報再生時の各静止画像の表示タイミングを自動算出し、管理情報に自動的に記録する事でユーザに負担を掛ける事無く、非常に容易に静止画像の表示時間を設定できる。
【０１７７】
５．オリジナルリストとプレイリストを同時に画面上に表示する（オーディオレコーディングに限らずビデオレコーディングにも適応可能）事で、ユーザが容易にプレイリストの作成ができるようになる。
【０１７８】
６．オリジナルリスト内のオリジナルトラックの一部を集めてプレイリスト上に新たなトラックを作る時、あるいはオリジナルトラック内部を部分消去する時に、
Ａ〕オリジナルトラック再生時に表示する全静止画像をプレイリスト上の新たなトラック再生時に表示する静止画像に利用する、あるいは部分消去前に表示していた全静止画像を部分消去後にも全て表示する。
【０１７９】
Ｂ〕オリジナルトラック再生時に表示する静止画像の内、特定範囲内にある静止画像のみをプレイリスト上の新たなトラック再生時に表示する静止画像に利用するあるいは部分消去範囲内に表示していた静止画像は部分消去後には表示しない。
【０１８０】
のどちらの処理を選択するかが編集機（情報記録再生装置）により異なっているとユーザが混乱すると共にユーザの認知しない所で（Ａ），（Ｂ）のどちらの処理を行うかの判断を編集機（情報記録再生装置）内で自動的に行われるとユーザが不快感を感じる。
【０１８１】
ユーザがプレイリストを作成する画面上に（Ａ），（Ｂ）のどちらの処理を行うかの判断情報をディスプレイモード７の形で表示することで新しいトラックに対する静止画像の設定方法をユーザが理解でき、不快感を覚える事が無いと共に、編集機（情報記録再生装置）の機種に依らず一定の静止画像設定が行える。
【０１８２】
７．ムービーオブジェクトの任意画面を静止画像として抽出し、オーディオオブジェクトと同時表示可能な静止画像としてスチルピクチャーＡＶファイル情報テーブル１４２内に登録する事でムービーオブジェクトの任意画面を音声情報と同時に表示する静止画像として利用できる。また同時に、静止画像情報として１箇ところにまとめて記録できるために静止画像のアクセスの高速化が可能となり、途切れることなく連続して静止画像と音声情報の再生が可能となる。
【０１８３】
８．またこの発明では、トラック単位に指定し、そのトラック内容を示す代表画像の指定情報を前記管理情報内に持つと共に、上記の代表画像の指定情報はオーディオトラック再生時に表示する静止画像の指定情報とは別に設けられている。このために、オーディオトラック再生時にぼう持する静止画像が記録されているビデオオブジェクト（ＶＯＢ）グループ以外の別場ところにあるＶＯＢグループ内の任意の静止画像を代表画像として設定でき、自由度を高めることができる。
【０１８４】
９．オーディオトラック毎の固有情報を記録する領域内に、そのオーディオトラックの内容を示す代表音声の表示範囲情報を設けることによりユーザはオーディオトラックを全て聞かず、図６に示した表示画面から確認したいオーディオトラックを指定するだけで、それが聞きたいオーディオトラックか否かを確認でき、ユーザのオーディオトラックへの検索性が大幅に向上する。
【図面の簡単な説明】
【図１】この発明に係るオーディオトラック情報に関する管理データ構造の例を示す図。
【図２】この発明に係る情報記憶媒体内に記録された再生可能な音声情報に関連した静止画ファイル、音声ファイル、テキストファイルのディレクトリー構造の例を示す図。
【図３】この発明に係るオーディオ情報に関する管理情報データ構造の例を示す図。
【図４】この発明に係る情報記憶媒体内に記録された静止画情報に関する管理情報データ構造の例を示す図。
【図５】この発明に係る情報記憶媒体内に記録されたテキスト情報に関する管理情報データ構造の例を示す図。
【図６】この発明に係るプレイリスト作成時の画面イメージを示す図。
【図７】この発明に係るプレイリストに関係した管理情報のデータ構造。
【図８】この発明に係るプレイリストとオーディオオブジェクトファイルの間の関係を示す説明図。
【図９】この発明に係るトラックヘッドエントリーポイント（プログラム情報）とスチルピクチャーエントリーポイント内で記録される情報内容を比較して示す説明図。
【図１０】この発明に係るプレイリストに関係した静止画像情報へのリンク方法の説明図。
【図１１】この発明に係るトラック毎に関係したテキスト情報へのリンク方法の説明図。
【図１２】この発明に係るオリジナルトラックに関係した静止画情報へのリンク方法の説明図。
【図１３】この発明に係るオリジナルトラックに関係したテキスト情報へのリンク方法の説明図。
【図１４】この発明に係る記録再生装置のブロック構成の例を示す図。
【図１５】この発明に係る音声関連情報の情報記憶媒体への録音方法の例を示す図。
【図１６】図１５の続きを示す図。
【図１７】この発明に係るオリジナルトラックの部分消去法の例を説明するために示した図。
【図１８】図１７の続きを示す図。
【図１９】この発明に係るプレイリスト作成用画面の表示処理を説明するために示した図。
【図２０】この発明に係るプレイリストの作成方法の例を示す図。
【図２１】図２０の続きを示す図。
【図２２】映像情報を音声情報と同時に表示する静止画情報として利用する方法を説明するために示した図。
【図２３】図２２の続きを示す図。
【図２４】トラック単位で音声情報を再生する再生手順の説明図。
【図２５】図２４の続きを示す図。
【符号の説明】
１００…情報記憶媒体、４０１…エンコーダ部、４０２…デコーダ部、４０３…ＳＴＢ部、４０４…メインＭＰＵ部。
【図１】
0003569244.tif 000002
【図２】
0003569244.tif 000003
【図３】
0003569244.tif 000004
【図４】
0003569244.tif 000005
【図５】
0003569244.tif 000006
【図６】
0003569244.tif 000007
【図７】
0003569244.tif 000008
【図８】
0003569244.tif 000009
【図９】
0003569244.tif 000010
【図１０】
0003569244.tif 000011
【図１１】
0003569244.tif 000012
【図１２】
0003569244.tif 000013
【図１３】
0003569244.tif 000014
【図１４】
0003569244.tif 000015
【図１５】
0003569244.tif 000016
【図１６】
0003569244.tif 000017
【図１７】
0003569244.tif 000018
【図１８】
0003569244.tif 000019
【図１９】
0003569244.tif 000020
【図２０】
0003569244.tif 000021
【図２１】
0003569244.tif 000022
【図２２】
0003569244.tif 000023
【図２３】
0003569244.tif 000024
【図２４】
0003569244.tif 000025
【図２５】
0003569244.tif 000026